(57)【要約】【課題】貯湯タンク内に供給される水によって貯湯タンク内の湯が攪拌されてしまうのを抑えるバッフル構造体を有し、該バッフル構造体の交換が容易な貯湯式給湯機を得ること。【解決手段】貯湯式給湯機を構成するにあたり、閉塞された一端５０ａと開放された一端５０ｂとを有するバッフル構造体５０であって、閉塞された一端側の外周壁には複数の貫通孔４１ａ，４１ｂが形成され、開放された一端側には外側に張り出した係合部４３が形成された中空筒状のバッフル構造体と、上記バッフル構造体の閉塞された一端と複数の貫通孔とが貯湯タンク１１の下部に設けられた給水口１１ａから該貯湯タンク内に挿入された状態で当該バッフル構造体を貯湯タンクおよび給水管路１３に固定する固定構造部９０とを設け、給水管路からバッフル構造体を介して貯湯タンク内に水を供給する。【選択図】        図２
2009002613.tif 000002
【特許請求の範囲】
【請求項１】
加熱装置で水を加熱して得た湯を貯湯タンク内の頂部側に貯留し、前記貯湯タンク内の湯の消費量に応じた量の水を給水管路から前記貯湯タンクの下部に設けられた給水口を介して前記貯湯タンク内に供給する貯湯式給湯機であって、
閉塞された一端と開放された一端とを有し、前記閉塞された一端側の外周壁には複数の貫通孔が形成され、前記開放された一端側には外側に張り出した係合部が形成された中空筒状の第１バッフル構造体と、
該第１バッフル構造体の前記係合部に係合し、前記第１バッフル構造体の閉塞された一端と複数の貫通孔とが前記給水口から前記貯湯タンク内に挿入された状態で、前記第１バッフル構造体を前記貯湯タンクおよび前記給水管路に固定する第１固定構造部と、
を備え、前記給水管路から前記第１バッフル構造体の複数の貫通孔を介して前記貯湯タンク内に前記水を供給することを特徴とする貯湯式給湯機。
【請求項２】
前記第１バッフル構造体は、前記開放された一端側に形成されて前記係合部として機能するフランジ部を有し、
前記第１固定構造部は、
前記給水口に一端が接続され、他端には外側に張り出したフランジ部が形成された中空筒状の給水側第１接続部材と、
前記給水管路に一端が接続され、他端には外側に張り出したフランジ部が形成された中空筒状の給水側第２接続部材と、
前記給水側第１接続部材と前記第１バッフル構造体と前記給水側第２接続部材とを固定する第１固定部材と、
を有し、
前記第１固定部材は、前記第１バッフル構造体の開放された一端が前記給水側第２接続部材に挿入され、かつ前記給水側第１接続部材の前記フランジ部と前記給水側第２接続部材の前記フランジ部とが前記第１バッフル構造体の前記フランジ部に当接した状態で、前記給水側第１接続部材と前記第１バッフル構造体と前記給水側第２接続部材とを固定していることを特徴とする請求項１に記載の貯湯式給湯機。
【請求項３】
前記第１バッフル構造体は、
前記開放された一端側に形成された２つの凹周溝と、
該２つの凹周溝の各々に装着されたシール部材と、
を有し、
該第１バッフル構造体の前記係合部は前記２つの凹周溝の間に配置されていることを特徴とする請求項１または２に記載の貯湯式給湯機。
【請求項４】
前記第１固定部材は、前記給水側第１接続部材、前記第１バッフル構造体、および前記給水側第２接続部材の各々を径方向外側から弾性力により挟み込んで固定していることを特徴とする請求項２または３に記載の貯湯式給湯機。
【請求項５】
前記貯湯タンクの下部に設けられた取水口と前記貯湯タンクの上部に設けられた給湯口とを繋ぐ循環管路をさらに備え、
前記加熱装置は、前記循環管路の途中において該循環管路を取り巻くように配置された熱交換器を有するヒートポンプユニットであることを特徴とする請求項１〜４のいずれか１つに記載の貯湯式給湯機。
【請求項６】
閉塞された一端と開放された一端とを有し、前記閉塞された一端側の外周壁には複数の貫通孔が形成され、前記開放された一端側には外側に張り出した係合部が形成された中空筒状の第２バッフル構造体と、
該第２バッフル構造体の前記係合部に係合し、前記第２バッフル構造体の閉塞された一端と複数の貫通孔とが前記給湯口から前記貯湯タンク内に挿入された状態で、前記第２バッフル構造体を前記貯湯タンクおよび前記循環管路に固定する第２固定構造部と、
を更に備え、前記循環管路から前記第２バッフル構造体を介して前記貯湯タンク内に前記湯を供給することを特徴とする請求項５に記載の貯湯式給湯機。
【請求項７】
前記第２バッフル構造体は、前記開放された一端側に形成されて前記係合部として機能するフランジ部を有し、
前記第２固定構造部は、
前記給湯口に一端が接続され、他端には外側に張り出したフランジ部が形成された中空筒状の給湯側第１接続部材と、
前記給湯管路に一端が接続され、他端には外側に張り出したフランジ部が形成された中空筒状の給湯側第２接続部材と、
前記給湯側第１接続部材と前記第２バッフル構造体と前記給湯側第２接続部材とを固定する第２固定部材と、
を有し、
前記第２固定部材は、前記第２バッフル構造体の開放された一端が前記給湯側第２接続部材に挿入され、かつ前記給湯側第１接続部材の前記フランジ部と前記給湯側第２接続部材の前記フランジ部とが前記第２バッフル構造体の前記フランジ部に当接した状態で、前記給湯側第１接続部材と前記第２バッフル構造体と前記給湯側第２接続部材とを固定していることを特徴とする請求項６に記載の貯湯式給湯機。
【請求項８】
前記第２バッフル構造体は、
前記開放された一端側に形成された２つの凹周溝と、
該２つの凹周溝の各々に装着されたシール部材と、
を有し、
該第２バッフル構造体の前記係合部は前記２つの凹周溝の間に配置されていることを特徴とする請求項６または７に記載の貯湯式給湯機。
【請求項９】
前記第２固定部材は、前記給湯側第１接続部材、前記第２バッフル構造体、および前記給湯側第２接続部材の各々を径方向外側から弾性力により挟み込んで固定していることを特徴とする請求項７または８に記載の貯湯式給湯機。
【請求項１０】
加熱装置で水を加熱して得た湯を貯湯タンク内の頂部側に貯留し、前記貯湯タンク内の湯の消費量に応じた量の水を給水管路から前記貯湯タンクの下部に設けられた給水口を介して前記貯湯タンク内に供給する貯湯式給湯機であって、
前記貯湯タンクの下部に設けられた取水口と前記貯湯タンクの上部に設けられた給湯口とを繋ぐ循環管路と、
前記循環管路の途中において該循環管路を取り巻くように配置されて前記加熱装置を構成する熱交換器と、
閉塞された一端と開放された一端とを有し、前記閉塞された一端側の外周壁には複数の貫通孔が形成され、前記開放された一端側には外側に張り出した係合部が形成された中空筒状のバッフル構造体と、
該バッフル構造体の前記係合部に係合し、前記バッフル構造体の閉塞された一端と複数の貫通孔とが前記給湯口から前記貯湯タンク内に挿入された状態で、前記バッフル構造体を前記貯湯タンクおよび前記給水管路に固定する固定構造部と、
を備え、前記循環管路から前記バッフル構造体の複数の貫通孔を介して前記貯湯タンク内に前記湯を供給することを特徴とする貯湯式給湯機。
【発明の詳細な説明】
【技術分野】
【０００１】
本発明は、貯湯式給湯機に関するものである。
【背景技術】
【０００２】
周知のとおり、貯湯式給湯機では電気ヒータやヒートポンプユニット等の加熱装置により水を加熱して得た湯を貯湯タンク内の頂部側に溜める。この湯は、貯湯タンクの頂部付近に一端が接続された送湯管路により所望の給湯先に送られて消費され、当該消費された湯と同量の水が貯湯タンクの下部に接続された給水管路から貯湯タンク内に供給される。結果的に、貯湯タンク内は常時満水状態に保たれる。
【０００３】
そのため、貯湯タンク内の頂部側には高温の湯により高温領域が形成され、底側には未加熱の水により低温領域が形成され、これら高温領域と低温領域との間には高温の湯と低温の水とが混合することにより中温領域が形成される。給湯先に所望温度の湯を安定に供給するうえからは、上記中温領域が高温領域側または低温領域側にあまりに拡大されてしまうのを抑えることが望ましく、そのためには、給水管路から貯湯タンク内に供給される水により貯湯タンク内の湯が攪拌されてしまうのをできるだけ抑えることが好ましい。また、ヒートポンプ式の貯湯式給湯機では、ヒートポンプユニットで沸き上げられて貯湯タンクに供給される湯によって貯湯タンク内の湯が攪拌されてしまうことも、できるだけ抑えることが好ましい。
【０００４】
例えば特許文献１に記載された貯湯式電気温水器では、貯湯タンクの底壁部での所定位置に給水口を形成し、この給水口にバッフル構造体を設けて、給水口から貯湯タンク内に供給される水を底壁部の面に平行で互いに相反する方向に流出する２つの分流に分けている。上記のバッフル構造体は、給水口から所定の間隔をあけて貯湯タンク内に配置された整流板と、この整流板を底壁部に固定する固定構造とを備えており、整流板は給水口と対向し、固定構造は貯湯タンク内でスタットボルトにより底壁部に固定される。
【０００５】
【特許文献１】特開平１０−２０５８８４号公報（第１頁、第００２８段、第１図）
【発明の開示】
【発明が解決しようとする課題】
【０００６】
しかしながら、特許文献１に記載された貯湯式電気温水器では、上記のバッフル構造体を貯湯タンク内に設けているので、当該バッフル構造体が腐食等により劣化したときにはバッフル構造体のみを交換するということができず、貯湯タンクごと交換しなければならない。貯湯タンクの交換は、比較的多くの人手と時間とを要するのみならず、ユーザに比較的大きな経済的負担をかける。
【０００７】
本発明は上記の事情に鑑みてなされたものであり、貯湯タンク内に供給される水または湯によって貯湯タンク内の湯が攪拌されてしまうのを抑えるバッフル構造体を有し、該バッフル構造体の交換が容易な貯湯式給湯機を得ることを目的とする。
【課題を解決するための手段】
【０００８】
上記の目的を達成する本発明の貯湯式給湯機は、加熱装置で水を加熱して得た湯を貯湯タンク内の頂部側に貯留し、貯湯タンク内の湯の消費量に応じた量の水を給水管路から貯湯タンクの下部に設けられた給水口を介して貯湯タンク内の下部に供給する貯湯式給湯機であって、閉塞された一端と開放された一端とを有し、閉塞された一端側の外周壁には複数の貫通孔が形成され、開放された一端側には外側に張り出した係合部が形成された中空筒状の第１バッフル構造体と、該第１バッフル構造体の係合部に係合し、第１バッフル構造体の閉塞された一端と複数の貫通孔とが給水口から貯湯タンク内に挿入された状態で、第１バッフル構造体を貯湯タンクおよび給水管路に固定する第１固定構造部とを備え、給水管路から第１バッフル構造体の複数の貫通孔を介して貯湯タンク内に水を供給することを特徴とするものである。
【０００９】
また、上記の目的を達成する本発明の他の貯湯式給湯機は、加熱装置で水を加熱して得た湯を貯湯タンク内の頂部側に貯留し、貯湯タンク内の湯の消費量に応じた量の水を給水管路から貯湯タンクの下部に設けられた給水口を介して貯湯タンク内に供給する貯湯式給湯機であって、貯湯タンクの下部に設けられた取水口と貯湯タンクの上部に設けられた給湯口とを繋ぐ循環管路と、循環管路の途中において該循環管路を取り巻くように配置されて加熱装置を構成する熱交換器と、閉塞された一端と開放された一端とを有し、閉塞された一端側の外周壁には複数の貫通孔が形成され、開放された一端側には外側に張り出した係合部が形成された中空筒状のバッフル構造体と、該バッフル構造体の係合部に係合し、バッフル構造体の閉塞された一端と複数の貫通孔とが給湯口から貯湯タンク内に挿入された状態で、バッフル構造体を貯湯タンクおよび給水管路に固定する固定構造部とを備え、循環管路からバッフル構造体の複数の貫通孔を介して貯湯タンク内に湯を供給することを特徴とするものである。
【発明の効果】
【００１０】
本発明の貯湯式給湯機では、該貯湯式給湯機が上記の構造のバッフル構造体を備えているので、高温領域、低温領域、および中温領域が形成されている貯湯タンク内にバッフル構造体を介して水または湯を供給したときに、当該貯湯タンク内の湯が攪拌されて中温領域が高温領域側または低温領域側に拡大されてしまうのを抑えることができる。また、固定構造部により貯湯タンクの外側から貯湯タンクおよび給水管路もしくは循環管路にバッフル構造体を固定しているので、バッフル構造体を貯湯タンク内に固定した場合に比べて当該バッフル構造体の交換が容易である。比較的少ない人手と時間の下に、また比較的少ないコストの下に、バッフル構造体を交換することができる。
【発明を実施するための最良の形態】
【００１１】
以下、本発明の貯湯式給湯機の実施の形態について、図面を参照して詳細に説明する。なお、本発明は以下に説明する実施の形態に限定されるものではない。
【００１２】
図１は、貯湯式給湯機の一例を示す概略図である。同図に示す貯湯式給湯機１００は、加熱装置としてのヒートポンプユニット１０と、ヒートポンプユニット１０で得た湯が貯留される貯湯タンク１１等が収容された貯湯タンクユニット３０とを備えている。上記のヒートポンプユニット１０は自然冷媒を用いてヒートサイクルを行うものであり、図１には当該ヒートポンプユニット１０を構成する熱交換器５も示されている。
【００１３】
上記の貯湯タンクユニット３０内には、一端が水道等の水源に接続された給水管路１３が配設されており、当該給水管路１３の他端は貯湯タンク１１の下部に設けられた管路取付け部ＰＰ１に接続されている。そして、管路取付け部ＰＰ１は、貯湯タンク１１の下部に設けられた給水口１１ａに接続されている。貯湯式給湯機１００の設置後、貯湯タンク１１が満水になるまで当該貯湯タンク１１内に給水管路１３から管路取付け部ＰＰ１、給水口１１ａを介して水が注入される。また、貯湯式給湯機１００の稼働時においては、ユーザにより消費された湯と同量の水が給水管路１３から管路取付け部ＰＰ１、給水口１１ａを介して貯湯タンク１１に供給されて、当該貯湯タンク１１が満水状態に常時保たれる。給水管路１３の途中には図示を省略した減圧弁が設けられており、水源から供給された水は所定の水圧に減圧された後に貯湯タンク１１に供給される。
【００１４】
貯湯タンク１１の下部には取水口１１ｂが、また上部には給湯口１１ｃが設けられており、給湯口１１ｃには管路取付け部ＰＰ２が設けられている。そして、上記の取水口１１ｂと給湯口１１ｃとは、管路取付け部ＰＰ２を介して循環管路１５により結ばれている。循環管路１５は、取水口１１ｂから熱交換器５を経て管路取付け部ＰＰ２に達しており、その途中のヒートポンプユニット１０内には、例えば循環ポンプ等の循環装置１７が設けられている。貯湯式給湯機１００の稼働時には循環装置１７も駆動されて、貯湯タンク１１内の下部に貯留されている未加熱の水が取水口１１ｂから循環管路１５に流入し、当該循環管路１５を流下する過程で熱交換器５により湯に沸き上げられた後に管路取付け部ＰＰ２および給湯口１１ｃを介して貯湯タンク１１内に流入し、当該貯湯タンク１１内の頂部側に貯留される。
【００１５】
貯湯タンク１１内に貯留された湯を所望の給湯先に供給するために、貯湯タンク１１の頂部には送湯管路１９の一端が接続されている。当該送湯管路１９の他端は所望の給湯先に設けられた給湯栓３１に接続されている。なお、給湯栓３１は、貯湯式給湯機１００での任意の構成部材とすることもできる。
【００１６】
貯湯タンクユニット３０内には、ヒートポンプユニット１０の動作や循環装置１７の動作等を制御する制御装置２３も配設されている。この制御装置２３は、制御部２３ａと記憶部２３ｂとを有しており、制御部２３ａはヒートポンプユニット１０や循環装置１７に有線または無線により接続されて、貯湯式給湯機１００内の温度情報と記憶部２３ｂに格納されている情報とに基づいてヒートポンプユニット１０や循環装置１７の動作を制御する。上記の温度情報を得るために、ヒートポンプユニット１０内の所定箇所や貯湯タンクユニット３０内の所定箇所には図示を省略した温度センサが配置されて、制御装置２３に有線または無線により接続されている。なお、記憶部２３ｂには、例えばヒートポンプユニット１０による水の沸上げ温度についての情報や、水の沸上げ運転を開始する時刻についての情報等が格納される。
【００１７】
貯湯タンクユニット３０の外には、有線または無線により制御装置２３に接続された遠隔操作部３５が配置されている。この遠隔操作部３５は、制御装置２３に対する入力装置として機能するものであり、ユーザにより入力された情報を制御部２３に伝える。例えば、ヒートポンプユニット１０による水の沸上げ温度を指定する情報や、水の沸上げ運転の開始時刻を指定する情報や、貯湯式給湯機１００の起動を指示する指令等が遠隔操作部３５から入力される。図１には１つの遠隔操作部３５のみが示されているが、複数の遠隔操作部３５を設けることもできる。なお、遠隔操作部３５から制御装置２３に入力された情報は、必要に応じて記憶部２３ｂに格納される。
【００１８】
上述の構成を有する貯湯式給湯機１００は、管路取付け部ＰＰ１の構成に特徴を有しているので、以下、管路取付け部ＰＰ１の構成について図２〜図５を参照して詳述する。
【００１９】
図２は、管路取付け部ＰＰ１の一例を概略的に示す断面図であり、図３は、図２に示した管路取付け部ＰＰ１を構成しているバッフル構造体を概略的に示す断面図である。また、図４は、図２に示した管路取付け部ＰＰ１を組み立てる際の一過程を概略的に示す断面図であり、図５は、図２に示した管路取付け部ＰＰ１を構成している固定部材を概略的に示す斜視図である。
【００２０】
図２に示す管路取付け部ＰＰ１は、バッフル構造体５０と、このバッフル構造体５０を貯湯タンク１１および給水管路１３に固定する固定構造部９０とを備えている。上記のバッフル構造体５０は銅、アルミニウム、ステンレス鋼（鉄鋼）、または樹脂等によって形成され中空の筒状物であり、当該バッフル構造体５０は、図２および図３に示すように、閉塞された一端５０ａと開放された一端５０ｂとを有している。バッフル構造体５０での閉塞された一端５０ａ側の外周壁には、複数の貫通孔４１ａ，４１ｂが形成されている。図示の例では、平面形状が楕円状の貫通孔４１ａと矩形状の貫通孔４１ｂとがそれぞれ複数個ずつ形成されている。また、バッフル構造体５０での開放された一端５０ｂ側には、固定構造部９０と係合する係合部４３が形成されている。この係合部４３は、外側に張り出したフランジ部（以下、「フランジ部４３」という。）からなる。
【００２１】
さらに、上記開放された一端５０ｂ側には、開放された一端５０ｂから順番に計３つのフランジ部４５ａ，４５ｂ，４５ｃが所定の間隔をもって形成されている。いずれのフランジ部４５ａ〜４５ｃも外側に張り出して形成されており、結果として、フランジ部４５ａとフランジ部４５ｂとの間には凹周溝４７ａが、またフランジ部４５ｂとフランジ部４５ｃとの間には凹周溝４７ｂ（図３参照）が形成されている。凹周溝４７ａにはＯリング等からなるシール部材４９ａが装着されており、凹周溝４７ｂにはＯリング等からなるシール部材４９ｂ（図２参照）が装着されている。なお、上述のフランジ部４３は２つの凹周溝４７ａ，４７ｂの間、すなわちフランジ部４５ｂの周囲に形成されている。
【００２２】
一方、固定構造部９０は、バッフル構造体５０の閉塞された一端５０ａと複数の貫通孔４１ａ，４１ｂとが給水口１１ａから貯湯タンク１１内に挿入された状態で当該バッフル構造体５０を貯湯タンク１１および給水管路１３に固定するものであり、図２に示す例では、給水側第１接続部材６０と、給水側第２接続部材７０と、固定部材８０とにより構成されている。
【００２３】
図２および図４に示すように、上記の給水側第１接続部材６０は、給水口１１ａに一端６０ａが接続され、他端６０ｂには外側に張り出したフランジ部５３が形成された中空筒状の部材である。この給水側第１接続部材６０は銅、アルミニウム、ステンレス鋼（鉄鋼）等の金属により形成されて、貯湯タンク１１の外側から当該貯湯タンク１１に例えば溶接により取り付けられている。また、上記の給水側第２接続部材７０は、給水管路１３に一端７０ａが接続され、他端７０ｂには外側に張り出したフランジ部６３が形成された中空筒状の部材である。この給水側第２接続部材７０も銅、アルミニウム、ステンレス鋼（鉄鋼）等の金属により形成されて、その一端７０ａは例えば溶接により給水管路１３に接続されている。図示の例では、給水側第１接続部材６０の内径は実質的に一定になっている。また、給水側第２接続部材７０の内径は一端７０ａ側で相対的に小さく、他端７０ｂ側には内径が相対的に大きい拡径部６１が形成されている。
【００２４】
固定部材８０は、バッフル構造体５０での閉塞された一端５０ａおよび複数の貫通孔５１ａ，５１ｂが貯湯タンク１１内に挿入され、バッフル構造体５０の開放された一端５０ｂ側が給水側第２接続部材７０の拡径部６１に挿入され、かつ給水側第１接続部材６０のフランジ部５３と給水側第２接続部材７０のフランジ部６３とが第１バッフル構造体５０のフランジ部４３に当接した状態で、これら第１バッフル構造体５０と給水側第１接続部材６０と給水側第２接続部材７０とを固定している。
【００２５】
図２または図５に示すように、固定部材８０は、左右１対のアーム部７５Ａ，７５Ｂと、これらのアーム部７５Ａ，７５Ｂを所定の間隔の下に保持するスペーサ部７７とを有している。個々のアーム部７５Ａ，７５Ｂには、給水側第１接続部材６０のフランジ部５３と給水側第２接続部材７０のフランジ部６３とがバッフル構造体５０のフランジ部４３に当接した状態でこれらのフランジ部４３，５３，６３がそれぞれ部分的に挿入される長孔７１が形成されており、当該長孔７１の長さ（正面視上の長さ）は、各フランジ部５３，６３，７３の外寸よりも大きい。また、個々の長孔７１における一方の側には給水側第１接続部材６０の外周面に圧接する第１弧状部７３ａが配置されており、他方の側には給水側第２接続部材７０の外周面に圧接する第２弧状部７３ｂが配置されている。
【００２６】
この固定部材８０は、アーム部７５Ａ，７５Ｂ間の間隔が拡張されたときに当該アーム部７５Ａ，７５Ｂに弾性力が生じるクランプであり、バッフル構造体５０、給水側第１接続部材６０、および給水側第２接続部材７０の各々を径方向外側から弾性力により挟み込んで固定している。
【００２７】
上述した給水側第１接続部材６０、給水側第２接続部材７０、および固定部材８０を有する固定構造部９０（図２参照）によってバッフル構造体５０を固定するにあたっては、例えば図４中に実線の矢印Ａで示すように、まず、給水側第１接続部材６０から貯湯タンク１１内にバッフル構造体５０を挿入する。バッフル構造体５０での閉塞された一端５０ａと複数の貫通孔５１ａ，５１ｂとを、貯湯タンク１１内に位置させる。このとき、給水側第１接続部材６０でのフランジ部５３とバッフル構造体のフランジ部４３とがバッフル構造体５０の挿入深さを規定するストッパとして機能する。バッフル構造体５０に装着されているシール材４９ｂが給水側第１接続部材６０の内周面に密着する。
【００２８】
また、例えば図４中に実線の矢印Ｂで示すように、給水側第２接続部材７０の一端７０ａから当該給水側第２接続部材７０の拡径部６１に給水管路１３の一端を挿入して例えば溶接により固定した後に、給水側第２接続部７０の他端７０ｂ側から当該給水側第２接続部７０にバッフル構造体５０の他端５０ｂ側を挿入する。このとき、給水側第２接続部材７０でのフランジ部６３とバッフル構造体のフランジ部４３とがバッフル構造体５０の挿入深さを規定するストッパとして機能する。バッフル構造体５０に装着されているシール材４９ａが給水側第２接続部材７０の内周面に密着する。
【００２９】
この後、前述のようにバッフル構造体５０、給水側第１接続部材６０、および給水側第２接続部材７０の各々を固定部材８０により径方向外側から弾性力により挟み込んで固定する。これにより、図２に示した管路取付け部ＰＰ１が得られる。
【００３０】
図１に示した貯湯式給湯機１００では、該貯湯式給湯機１００が上述の管路取付け部ＰＰ１を有しているので、図２中に実線の矢印で示すように、給水管路１３を流下した水は給水側第２接続部材７０内を通ってバッフル構造体５０内に入り、各貫通孔４１ａ，４１ｂから貯湯タンク１１内に流入する。このときの水の流出方向は、貯湯タンク１１内での低温領域、中温領域、および高温領域の分布方向とは異なり、当該貯湯タンク１１の壁面に沿った方向となる。また、このときの水流の強さは、各貫通孔４１ａ，４１ｂの数や口径を適宜選定することにより容易に制御することができる。
【００３１】
したがって、貯湯式給湯機１００では、高温領域、低温領域、および中温領域が形成されている貯湯タンク１１内に給水管路１３を介して水を供給したときに、当該貯湯タンク１１内の湯が攪拌されて中温領域が高温領域側または低温領域側に拡大されてしまうのを容易に抑えることができる。
【００３２】
また、固定構造部９０により貯湯タンク１１の外側から貯湯タンク１１および給水管路１３にバッフル構造体５０を固定しているので、バッフル構造体５０を貯湯タンク内に固定した場合に比べてその交換が容易である。比較的少ない人手と時間の下に、また比較的少ないコストの下に、バッフル構造体５０を交換することができる。
【００３３】
以上、本発明の貯湯式給湯機について実施の形態を挙げて説明したが、前述のように、本発明は上述の形態に限定されるものではない。例えば、上述した形態の貯湯式給湯機１００（図１参照）では、２つある管路取付け部ＰＰ１，ＰＰ２のうちの管路取付け部ＰＰ１のみをバッフル構造体５０と固定構造部９０とにより構成したが、管路取付け部ＰＰ１に代えて管路取付け部ＰＰ２をバッフル構造体と固定構造部とにより構成してもよいし、２つの管路取付け部ＰＰ１，ＰＰ２の両方をバッフル構造体と固定構造部とにより構成してもよい。
【００３４】
管路取付け部ＰＰ２をバッフル構造体と固定構造部とにより構成する場合、バッフル構造体および固定構造部それぞれの構成は、上述したバッフル構造体５０および固定構造部９０それぞれの構成と同じにすることができる。ただし、固定構造部９０で使用した「給水側第１接続部材」および「給水側第２接続部材」という名称は「給湯側第１接続部材」、「給湯側第２接続部材」に変更され、給湯側第１接続部材の一端は貯湯タンクの給湯口に、また給湯側第２接続部材の一端は循環管路に接続される。
【００３５】
勿論、バッフル構造体および固定構造部それぞれの構成は実施の形態で例示した構成に限定されるものではない。例えばバッフル構造体の構成は、貯湯タンク内に当該バッフル構造体を介して水または湯を供給したときに貯湯タンク内の湯が攪拌されて中温領域が高温領域側または低温領域側に拡大されてしまうのを抑えることができるように、給水管路または循環管路での水勢や貯湯タンクの容積等を考慮して適宜変更可能である。
【００３６】
また、固定構造部自体の構成および固定構造部を構成する部材の構成も、バッフル構造体の交換の容易性を考慮して、適宜変更可能である。例えば固定構造部を構成する固定部材は、図５に示した長孔７１に代えて各フランジ部４３，５３，６３（図２参照）を部分的に覆うキャップ部を設けたものであってもよい。固定部材８０の第１弧状部７３ａを給水側第１接続部材６０の外周面に圧接させ、第２弧状部７３ｂを給水側第３接続部材７０の外周面に圧接させるにあたっては、当該固定部材８０の弾性力を利用する他に、締結具を利用してもよい。締結具を利用する場合には、例えば図５に示した各アーム部７５Ａ，７５Ｂが各々の下端部において締結具により互いに締結される。
【００３７】
さらに、本発明の貯湯式給湯機は、ヒートポンプユニットにより水を沸き上げるものの他に、貯湯タンク内に配置された電気ヒータにより水を沸き上げるものであってもよい。本発明の貯湯式給湯機については、上述したもの以外にも種々の変形、修飾、組み合わせ等が可能である。
【図面の簡単な説明】
【００３８】
【図１】本発明の貯湯式給湯機の一例を示す概略図である。
【図２】図１に示した貯湯式給湯機において給水管路を貯湯タンクに取り付ける管路取付け部の一例を概略的に示す断面図である。
【図３】図２に示した管路取付け部を構成しているバッフル構造体を概略的に示す断面図である。
【図４】図２に示した管路取付け部を組み立てる際の一過程を概略的に示す断面図である。
【図５】図２に示した管路取付け部を構成している固定部材を概略的に示す斜視図である。
【符号の説明】
【００３９】
５  熱交換器
１０  加熱装置（ヒートポンプユニット）
１１  貯湯タンク
１１ａ  給水口
１３  給水管路
１５  循環管路
１９  送湯管路
３０  貯湯タンクユニット
４１ａ，４１ｂ  貫通孔
４３  係合部（フランジ部）
４７ａ，４７ｂ  凹周溝
４９ａ，４９ｂ  シール部材
５０  バッフル構造体
５０ａ  バッフル構造体での閉塞された一端
５０ｂ  バッフル構造体での開放された一端
５３  フランジ部
６０  給水側第１接続部材
６０ａ  給水側第１接続部材の一端
６０ｂ  給水側第１接続部材の他端
６３  フランジ部
７０  給水側第２接続部材
７０ａ  給水側第２接続部材の一端
７０ｂ  給水側第２接続部材の他端
８０  固定部材
９０  固定構造部
１００  貯湯式給湯機
ＰＰ１  管路取付け部
ＰＰ２  管路取付け部
【図１】
2009002613.tif 000003
【図２】
2009002613.tif 000004
【図３】
2009002613.tif 000005
【図４】
2009002613.tif 000006
【図５】
2009002613.tif 000007